(57)【要約】【課題】録画再生装置で録画したコンテンツを携帯端末にコピーして携帯端末で視聴する際に、利用者にとって使い勝手のよいコンテンツ送受信システムを提供する。【解決手段】実施形態によれば、コンテンツ送受信システムは、コンテンツを録画する第１の録画装置と、第１の録画装置に録画されたコンテンツとコンテンツの再生済み位置情報を含むメタ情報をネットワークを介して送信する第１の制御モジュールを有する録画再生装置と、コンテンツとコンテンツの再生済み位置情報を含むメタ情報をネットワークを介して受信する第２の制御モジュールとを備え、第１の制御モジュールは、コンテンツの再生済み位置情報が更新されたとき、更新された再生済み位置情報を含むメタ情報を送信し、第２の制御モジュールは、コンテンツの更新された再生済み位置情報を含むメタ情報を受信し、コンテンツを再生する位置を更新する。【選択図】図５
2014053877.tif 000002
【特許請求の範囲】
【請求項１】
コンテンツを録画する第１の録画装置と、前記第１の録画装置に録画された前記コンテンツと前記コンテンツの再生済み位置情報を含むメタ情報をネットワークを介して送信する第１の制御モジュールを有する録画再生装置と、
前記コンテンツと前記コンテンツの再生済み位置情報を含む前記メタ情報をネットワークを介して受信する第２の制御モジュールと、受信した前記コンテンツを録画する第２の録画装置を有する携帯端末と、を備え、
前記第１の制御モジュールは、前記コンテンツの再生済み位置情報が更新されたとき、更新された前記再生済み位置情報を含む前記メタ情報を送信し、
前記第２の制御モジュールは、前記コンテンツの更新された再生済み位置情報を含む前記メタ情報を受信し、前記第２の録画装置に録画された前記コンテンツを再生する位置を更新するコンテンツ送受信システム。
【請求項２】
前記メタ情報は連続番組情報を含む請求項１に記載されたコンテンツ送受信システム。
【請求項３】
コンテンツを録画する第１の録画装置と、
前記第１の録画装置に録画された前記コンテンツと前記コンテンツの再生済み位置情報を含むメタ情報をネットワークを介して送信する第１の制御モジュールと、を備え、
前記第１の制御モジュールは、前記コンテンツの再生済み位置情報が更新されたとき、更新された再生済み位置情報を含むメタ情報を送信する録画再生装置。
【請求項４】
前記メタ情報は連続番組情報を含む請求項３に記載された録画再生装置。
【請求項５】
コンテンツと前記コンテンツの再生済み位置情報を含むメタ情報をネットワークを介して受信する第２の制御モジュールと、受信した前記コンテンツを録画する第２の録画装置と、を備え、
前記第２の制御モジュールは、更新された再生済み位置情報を含むメタ情報を受信し、前記第２の録画装置に録画された前記コンテンツを再生する位置を更新する携帯端末。
【請求項６】
前記メタ情報は連続番組情報を含む請求項５に記載された携帯端末。
【請求項７】
前記第２の制御モジュールは、連続番組情報を含む前記メタ情報を受信した際、既に録画した連続番組の中で過去の番組のコンテンツが前記第２の録画装置に残っていた場合には前記番組の前記コンテンツを削除する請求項６に記載された携帯端末。
【発明の詳細な説明】
【技術分野】
【０００１】
本発明の実施形態は、コンテンツ送受信システム、録画再生装置及び携帯端末に関する。
【背景技術】
【０００２】
録画再生装置に録画されたコンテンツを他の記録媒体に移動またはコピーする際にレジューム情報を同時に転送する機能が用いられている。レジューム機能は、メモリ機能とも呼ばれ、前回どこまで再生していたかを覚えておく機能であって、次回再生する際には、最初からではなく前回見ていたところから再生され、早送りなどの操作をする必要がないので便利である。
【先行技術文献】
【特許文献】
【０００３】
【特許文献１】特開２００８−３１０９０１号公報
【発明の概要】
【発明が解決しようとする課題】
【０００４】
自宅に設置した録画再生装置で録画したコンテンツを携帯端末にコピーして、外出先で視聴するシステムが利用されている。携帯端末にコンテンツをコピーする際にレジューム情報を同時に転送する機能が用いられるが、コピーの後に自宅の録画再生装置で引き続いてコンテンツの続きを視聴した場合には、コンテンツをコピーした際のレジューム情報はあまり役に立たないものとなる。また、携帯端末でコンテンツを視聴し、自宅に戻って録画再生装置でコンテンツの続きを視聴し、さらに携帯端末でその続きを視聴する場合が考えられる。このような場合にもコンテンツをコピーした際のレジューム情報はあまり役に立たないものとなり、使い勝手がよくない。
【０００５】
本発明の目的は、上記したような事情に鑑み成されたものであって、録画再生装置で録画したコンテンツを携帯端末にコピーして携帯端末で視聴する際に、利用者にとって使い勝手のよいコンテンツ送受信システム、録画再生装置及び携帯端末を提供することである。
【課題を解決するための手段】
【０００６】
上記目的を達成するために、実施形態によれば、コンテンツを録画する第１の録画装置と、前記第１の録画装置に録画された前記コンテンツと前記コンテンツの再生済み位置情報を含むメタ情報をネットワークを介して送信する第１の制御モジュールを有する録画再生装置と、前記コンテンツと前記コンテンツの再生済み位置情報を含む前記メタ情報をネットワークを介して受信する第２の制御モジュールと、受信した前記コンテンツを録画する第２の録画装置を有する携帯端末と、を備え、前記第１の制御モジュールは、前記コンテンツの再生済み位置情報が更新されたとき、更新された前記再生済み位置情報を含む前記メタ情報を送信し、前記第２の制御モジュールは、前記コンテンツの更新された再生済み位置情報を含む前記メタ情報を受信し、前記第２の録画装置に録画された前記コンテンツを再生する位置を更新する。
【図面の簡単な説明】
【０００７】
【図１】実施形態に係るコンテンツ送受信システムの構成の一例を示した模式図。
【図２】実施形態に係る録画再生装置の構成を示したブロック図。
【図３】メタ情報の例を示した図。
【図４】実施形態に係る携帯端末の構成を示したブロック図。
【図５】コンテンツ送受信処理の動作手順を示したフローチャート。
【発明を実施するための形態】
【０００８】
以下実施形態について図面を参照しながら説明する。図１は、実施形態に係るコンテンツ送受信システムの構成の一例を示した模式図である。コンテンツ送受信システム１は、例えば、録画機能を有するデジタル放送受信機やBlu-ray（登録商標）レコーダ等の録画再生装置２と、例えば、携帯電話機、ＰＤＡ等の携帯端末３により構成されている。携帯端末３は、ローカルエリアネットワーク（ＬＡＮ）のようなネットワーク４を介して、録画再生装置２に接続されている。ネットワーク４には、ルータ５等のネットワーク機器が含まれる。なお、録画再生装置２に接続される携帯端末３は、複数であってもよい。
【０００９】
録画再生装置２は、放送局１１から放送されるデジタル放送（例えば、デジタルの地上波放送、ＢＳ（Broadcasting Satellite）放送、ＣＳ（Communication Satellite）放送、ケーブルテレビ等）を受信する機能を有する。また図２に示すようにネットワーク送受信モジュール３１を介してネットワーク４に接続され、ネットワーク４に接続された単数または複数の携帯端末３やネットワーク４に接続された他のサーバ３２と情報を送受信する機能を有する。
【００１０】
録画再生装置２の実施形態として、デジタルテレビを一例として説明する。録画再生装置２は、筐体６と、筐体６を支持するスタンド６ａを備えている。筐体６は前面側に液晶パネルやＰＤＰパネル等の表示パネル６ｂが配置され、表示パネル６ｂの背面側に表示パネル６ｂを支持するフレーム（図示せず）が配置されている。フレームには表示パネル６ｂを駆動するための回路基板や電源回路（図示せず）が設置されている。
【００１１】
筐体６は、筐体６の前面側と上面、底面、両側側面の一部を覆う前面カバー６ｃと、筐体６の背面側と上面、底面、両側側面の一部を覆う背面カバー６ｄとによって外面が囲まれている。画面７は、表示パネル６ｂの前面カバー６ｃの窓部６ｅの内側の表示部分である。
【００１２】
リモコン８は赤外線あるいはBluetooth（登録商標）等による無線通信を利用して、録画再生装置２の操作受信モジュールへ操作信号を送る操作機器である。
【００１３】
携帯端末３は、携帯電話網による無線通信手段のほかに、無線ＬＡＮ通信手段を兼ね備えており、家やオフィス、或いは公衆無線ＬＡＮが利用できる駅やホテル等では無線ＬＡＮを通じてデータ通信ができ、無線ＬＡＮ通信ができない外出先では携帯電話網を利用した無線通信が可能である。
【００１４】
また、ＵＳＢ（Universal Serial Bus）等の外部インターフェースを備えており、ＵＳＢケーブルによってＵＳＢ外部機器と接続してデータを送受信することができる。なお、携帯端末３は、携帯電話網による無線通信手段が必須ではなく、無線ＬＡＮ通信のみの通信手段を具備するものであってもよい。
【００１５】
携帯端末３は、本体の前面に液晶パネルや有機ＥＬ（Electroluminescence）パネル等のような表示装置とタッチパッドのような位置入力装置を組み合わせたタッチパネル９を備えており、表示装置の画面上の表示を押すことで機器を操作することができる。なお、携帯端末３はタッチパネル９ではなく、表示装置とは別に操作キーを備えていても構わない。
【００１６】
録画再生装置２と携帯端末３がルータ５を介して接続される場合には、録画再生装置２とルータ５の接続は有線ＬＡＮでも、例えば、ＩＥＥＥ８０２．１１シリーズの通信方式を用いた無線ＬＡＮでも構わない。同様に携帯端末３とルータ５の接続は、例えば、ＩＥＥＥ８０２．１１シリーズの通信方式を用いた無線ＬＡＮでも有線ＬＡＮでも構わないが、有線ＬＡＮの場合には、携帯端末３に有線ＬＡＮ用のケーブルを接続するための端子が必要となる。
【００１７】
図２は、実施形態に係る録画再生装置２の構成を示したブロック図である。アンテナ１０は、放送局１１から送信された放送電波を受信するための地上デジタル放送あるいは衛星デジタル放送用のアンテナである。チューナ１２は、地上デジタル放送、衛星デジタル放送あるいはケーブルテレビ放送の放送信号の中から所望のチャンネルの放送信号を選局する。チューナ１２は、複数のチューナユニットから構成されており、同時に複数の放送を受信することができる。アンテナ端子１２ａはアンテナ１０が接続される端子である。
【００１８】
復調器１３は、各々のデジタル放送の変調方式に対応して復調する。地上デジタル放送の信号は、ＯＦＤＭ（Orthogonal Frequency Division Multiplexing）復調で、衛星デジタル放送の信号は、ＰＳＫ（Phase Shift Keying）復調で、ＭＰＥＧ２（Moving Picture Experts Group2）−ＴＳ（Transport Stream）に復調され、デコード処理モジュール１４に出力される。また、復調器１３は、ネットワーク送受信モジュール３１を介してインターネット等のネットワーク４から受信したＩＰ放送を復調する。
【００１９】
デコード処理モジュール１４は、ＭＰＥＧデコーダ、映像音声デコーダ等の機能を有する。デコード処理モジュール１４は、復調器１３から送信されたＭＰＥＧ２−ＴＳデータをセクション化して、番組情報のデータをデコードする。映像ＰＥＳ（Packetized Elementary Stream）に対しては映像ＥＳ（Elementary Stream)化、音声ＰＥＳに対しては音声ＥＳ化を行って映像データ及び音声データをデコードする。
【００２０】
また、デコード処理モジュール１４は、第１の録画装置２６から入力された映像データ及び音声データをデコードする。更に、デコード処理モジュール１４は、外部記憶装置３０から入力された映像データ及び音声データをデコードする機能を有する。
【００２１】
重畳処理モジュール１５は、デコード処理モジュール１４からの映像データと、バス２０を介して転送されるデータ放送やＧＵＩ（Graphical User Interface）制御によるウィンドウ描画をプレーン管理して、映像データとの重ね合わせを行い、映像処理モジュール１６に送る。
【００２２】
映像処理モジュール１６は、表示装置１７で表示可能なフォーマット（画素数、フレーム周波数、走査方式）に変換したり、表示色を任意に調整したりして、表示装置１７に出力して映像を画面７に表示させる。
【００２３】
音声処理モジュール１８は、デコード処理モジュール１４から伝送されたデジタルの音声データを、スピーカ１９あるいはイヤーホーンで再生可能なアナログ音声信号に変換した後、スピーカ１９あるいはイヤーホーンに出力して音声を再生させる。なお、表示装置１７やスピーカ１９は録画再生装置２の外部にあってもよい。また、録画再生装置２と別の筐体に納められていてもよい。
【００２４】
録画再生装置２は、上記した受信動作を含むその全ての動作を第１の制御モジュール２１によって統括的に制御されている。第１の制御モジュール２１はＭＰＵ（Micro Processing Unit）２２が搭載されており、バス２０を介して接続された各構成要素を制御する。
【００２５】
ＲＡＭ（Random Access Memory）２３は、第１の制御モジュール２１のデータ処理に必要な各種データを格納するリードライト用のメモリであり、映像データ、画像フレームの情報等を格納するバッファメモリとして動作する。ＲＯＭ（Read Only Memory）２４は読出し専用のメモリであり、ＭＰＵ２２が実行する制御のプログラムなどを格納している。
【００２６】
フラッシュメモリ２５は、書き換え可能であり、電源を切ってもデータが消えない不揮発性のメモリである。フラッシュメモリ２５は、利用者によって設定された録画再生装置２の機能及び動作に関する各種設定値を記憶する機能を有する。フラッシュメモリ２５は、番組のメタ情報を記憶するメタ情報記憶部３５の機能を有する。
【００２７】
第１の録画装置２６は、ＨＤＤ（Hard Disk Drive）、ＳＳＤ（Solid State Drive）あるいはＯＤＤ（Optical Disc Drive）等を含むコンテンツの録画手段である。第１の録画装置２６には情報を録画再生するためのエンコーダとデコーダが搭載されており、該エンコーダとデコーダを介してＭＰＥＧ２−ＴＳデータが第１の録画装置２６の録画再生形態に適したフォーマットに変調されＨＤＤ、ＳＳＤあるいはＯＤＤに録画され、また再生される。再生データは、デコード処理モジュール１４でデコードされる。
【００２８】
操作受信モジュール２７は、操作機器２８から送信される操作信号を受信し、制御モジュール２１に転送する。操作機器２８は、例えば、赤外線あるいはBluetooth（登録商標）等による無線通信を利用したリモコン（リモートコントローラ、remote controller）８、有線式あるいは無線式キーボード等であり、操作信号を送出する。操作受信モジュール２７は、これらリモコン８やキーボード等から操作信号を受信する。
【００２９】
外部インターフェース２９は、ＵＳＢ（Universal Serial Bus）、ＩＥＥＥ１３９４（Institute of Electrical and Electronic Engineers 1394）、ｅＳＡＴＡ(external Serial ATA(AT Attachment)）、ＳＤ（Secure Digital）（登録商標）メモリカード、メモリースティック（登録商標）、あるいはＨＤＭＩ（High Definition Multimedia Interface）（登録商標）等のインターフェースであり、ＵＳＢメモリやＵＳＢ外部機器、ＳＤメモリカード、メモリースティック、ＨＤＤ、ＳＳＤ、ＣＤ、ＤＶＤ、Blu-ray（登録商標）機等のドライブ類を含む外部装置３０が接続される。外部装置端子２９ａは外部装置３０が接続される端子である。
【００３０】
録画再生装置２は、外部インターフェース２９を介して外部装置３０に放送番組を録画することができる。第１の録画装置２６または外部装置３０のどちらに録画するかを利用者が選択できる。また、録画再生装置２は、外部装置３０に録画された映像または音声情報を再生することができる。
【００３１】
録画再生装置２は、ネットワーク送受信モジュール３１を介してＬＡＮあるいは、インターネット等のネットワーク４に接続される。これにより、録画再生装置２は、ネットワーク４に接続されたサーバ３２等の機器とネットワーク送受信モジュール３１を介して情報伝送を行なうことができる。例えば、ＤＬＮＡ（Digital Living Network Alliance）ガイドラインに対応したサーバから映像コンテンツを受信することが可能である。ネットワーク端子３１ａはネットワーク４が接続される端子である。ネットワーク送受信モジュール３１とネットワーク４の接続は有線だけでなく、例えば、ＩＥＥＥ８０２．１１シリーズの通信方式を用いた無線ＬＡＮ等の無線接続であってもよい。
【００３２】
図２において、第１の制御モジュール２１は、コンテンツ送信制御モジュール３３、メタ情報管理モジュール３４の機能を有する。この機能は、制御モジュール２１のＭＰＵ２２が実行するアプリケーションであり、通常はＲＯＭ２４に格納されており、使用時にはＭＰＵ２２によって読み出され実行される。
【００３３】
コンテンツ送信制御モジュール３３は、第１の録画装置２６に録画されたコンテンツとコンテンツの再生済み位置情報を含むメタ情報を、ネットワークを介して送信する機能を有する。また、コンテンツ送信制御モジュール３３は、コンテンツの再生済み位置情報（レジューム情報）が更新されたとき、更新された再生済み位置情報を含むメタ情報を、ネットワークを介して携帯端末３に送信する。
【００３４】
メタ情報管理モジュール３４は、番組のＳＩ（Service Information、番組配列情報）情報から番組情報（放送局名、放送日時、番組名、放送概要、出演者、番組詳細、番組分類、連続番組ＩＤ等）を取得する。ＳＩ情報は映像・音声などと同様にパケット化され、多重されて送信されている。
【００３５】
連続番組ＩＤは、連続番組情報を識別する番号である。連続番組は、シリーズ番組とも言われ、５話、１０話などに分けて放送される形態の放送番組である。連日放送されるものもあれば、週に１回放送されるものもあり、毎日あるいは毎週ほぼ定められた時間に放送される。
【００３６】
番組情報のデータは、ＳＩ情報のＥＩＴ(Event Information Table)に含まれており、デコード処理部１４から出力された情報からメタ情報管理モジュール３４が番組情報を取得する。メタ情報管理モジュール３４は、上記の番組情報と録画時間、録画日時、レジューム情報を組み合わせてメタ情報を生成する。生成されたメタ情報は番組のコンテンツと共に第１の録画装置に記録されたり、フラッシュメモリ２５のメタ情報記憶部３５に記憶されたりする。
【００３７】
利用者が録画されたコンテンツを視聴し、途中で視聴を中断する度に、コンテンツの再生済み位置情報（レジューム情報）が更新され、メタ情報が更新される。
【００３８】
利用者が新たに連続番組として登録したい場合には連続番組ＩＤを作成し、メタ情報記憶部３５に連続番組ＩＤとタイトルを登録してもよい。連続番組ＩＤがない場合には連続番組ＩＤの欄には０（ゼロ）が入る。
【００３９】
図３は、メタ情報管理モジュール３４が生成したメタ情報３６の例を示した図である。このメタ情報３６には、番組のタイトル名、タイトルＩＤ、録画時間、レジューム時間（再生済み位置情報）、連続番組ＩＤ、録画日時等が記録されている。録画時間が１時間５２分４８秒に対して、レジューム時間が４６分２８秒である。このコンテンツを携帯端末３で再生する場合には、再生開始位置を４６分２８秒にすればよい。
【００４０】
図４は、実施形態に係る携帯端末３の構成を示したブロック図である。アンテナ４０は、無線ＬＡＮの信号を送受信するためのアンテナである。携帯端末３は、ネットワーク送受信モジュール４１を介してＬＡＮあるいは、インターネット等のネットワーク４に接続される。これにより、携帯端末３は、ネットワーク４に接続された映像機器とネットワーク送受信モジュール４１を介して情報伝送を行なうことができる。
【００４１】
アンテナ４３は、携帯電話網を利用した無線通信の信号を基地局４２との間で送受信するためのアンテナである。無線送受信モジュール４４は、受信においては受信された無線信号を受信中間周波信号に変換し変復調モジュール４５へ送信する。また、送信においては変復調モジュール４５で変調された信号を無線波周波数にアップコンバートし、さらに所定の送信電力レベルに増幅したりする。
【００４２】
変復調モジュール４５は、復調においては受信中間周波信号のデジタル復調が行なわれ、これによりデジタル復調信号が再生される。また、変調においては送信中間周波信号をデジタル変調し、この変調した送信中間周波信号を無線送受信モジュール４４に入力する。
【００４３】
無線制御モジュール４６は、基地局４２との間で無線通信を行うための制御を行う機能を有すると共にデジタル復調信号を受信タイムスロット毎に分離する。そして、分離したスロットのデータが音声データであればこの音声データを音声処理モジュール４７に入力する。一方、分離したスロットのデータがパケットデータや制御データであれば、これらのデータを制御モジュール５３に入力する。
【００４４】
音声処理モジュール４７は、無線制御モジュール４６から送信された音声信号をデコードし、スピーカ４８へ出力する。また音声処理モジュール４７は、マイクロホン４９からの音声信号をエンコードして無線制御モジュール４６へ送信する。
【００４５】
映像処理モジュール５０は、制御モジュール５３の制御のもとで、表示装置５１において利用者に各種情報を通知するための表示出力を制御する。表示装置５１は、液晶ディスプレイや有機ＥＬディスプレイ等によって構成され、映像処理モジュール５０の制御のもとで各種情報を表示する。
【００４６】
映像機器２は、全ての動作を第２の制御モジュール５３によって統括的に制御されている。第２の制御モジュール５３はＭＰＵ（Micro Processing Unit）５４が搭載されており、バス５２を介して接続された各構成要素を制御する。ＲＡＭ５５は、ＭＰＵ５４が動作するときにデータの加工等の作業エリアとして利用され、また映像信号、音声信号等を一時的に格納する。ＲＯＭ５６は、ＭＰＵ５４の動作プログラムやデータなどを保存する。
【００４７】
フラッシュメモリ５７は、書き換え可能であり、電源を切ってもデータが消えない不揮発性の半導体メモリである。フラッシュメモリ５７は、録画されたコンテンツのメタ情報記憶部６３の機能を有する。
【００４８】
第２の録画装置５８は、ＨＤＤ（Hard Disk Drive）、ＳＳＤ（Solid State Drive）等を含むコンテンツの録画手段である。第２の録画装置５８には情報を録画再生するためのエンコーダとデコーダが搭載されており、該エンコーダとデコーダを介してコンテンツのデータが第２の録画装置５８の録画再生形態に適したフォーマットに変調されＨＤＤ、ＳＳＤに録画され、また再生される。なお、第２の録画装置５８の機能は、フラッシュメモリ５７で代用することも可能である。フラッシュメモリ５７が第２の録画装置５８の機能を担う場合には、フラッシュメモリ５７は比較的大きな記憶容量が必要とされる。
【００４９】
タッチパネル９は、液晶パネルのような表示装置の画面上の表示を押すことで携帯端末３を操作する入力装置である。画面上の触れられた画面位置の情報を感知して第２の制御モジュール５３へ情報信号として出力する。第２の制御モジュール５３は、画面上の位置情報に基づいて、利用者が望む適切な動作を行なう。
【００５０】
外部インターフェース６０は、ＵＳＢ、ＳＤ（登録商標）メモリカード、メモリースティック（登録商標）、あるいはＨＤＭＩ（登録商標）等のインターフェースであり、ＵＳＢメモリや、ＳＤメモリカード、メモリースティック等の外部機器６５が接続される。外部機器接続端子６０ａは外部機器６５が接続される端子である。外部機器６５に映像情報を録画することが可能である。
【００５１】
図４において、第２の制御モジュール５３は、コンテンツ受信制御モジュール６１、コンテンツ管理モジュール６２の機能を有する。これらの機能は、第２の制御モジュール５３のＭＰＵ５４が実行するアプリケーションであり、通常はＲＯＭ５６に格納されており、使用時にはＭＰＵ５４によって読み出され実行される。
【００５２】
コンテンツ受信制御モジュール６１は、録画再生装置２から送信されたコンテンツとコンテンツの再生済み位置情報（レジューム情報）を含むメタ情報をネットワークを介して受信する機能を有する。また更新された再生済み位置情報を含むメタ情報を受信する。
【００５３】
コンテンツ管理モジュール６２は、更新された再生済み位置情報を含むメタ情報に基づいてコンテンツを再生する開始位置を更新する機能を有する。コンテンツを再生する際は更新された再生位置から再生が開始される。
【００５４】
コンテンツ管理モジュール６２は、第２の録画装置５８またはフラッシュメモリ５７に録画されたコンテンツの連続番組ＩＤを含む番組情報、録画時間、録画日時、レジューム情報を含むメタ情報を管理する。コンテンツ管理モジュール６２は、メタ情報をコンテンツと共に第２の録画装置５８に録画したり、フラッシュメモリ５７のメタ情報記憶部６３に記憶させたりする。
【００５５】
コンテンツ管理モジュール６２は、連続番組情報を含む前記メタ情報を受信した際、既に録画した連続番組の中での過去の番組が前記第２の録画装置またはフラッシュメモリ５７に残っていた場合には該番組を削除する機能を有する。この機能により、利用者が手間を掛けることなく効率的に録画領域を確保することができる。
【００５６】
図５は、コンテンツ送受信処理の動作手順を示したフローチャートである。図５（ａ）は録画再生装置２における動作手順を示し、図５（ｂ）は携帯端末３における動作手順を示す。Ｓ１１において、録画再生装置２のコンテンツ送信制御モジュール３３は、コンテンツのメタ情報を携帯端末３へ送信する。新しいコンテンツが第１の録画装置に録画された場合や既に録画済みのコンテンツのメタ情報が更新された場合にこれらのメタ情報を送信する。レジューム情報が更新された場合にもメタ情報が更新され送信する。
【００５７】
Ｓ１２において、第１の制御モジュール２１は、携帯端末３から応答を受信する。この応答は、Ｓ１１において送信したメタ情報に対して、携帯端末３がこのメタ情報のコンテンツが未記録（未だ受信していないコンテンツ）であることを返信してきたものである。
【００５８】
Ｓ１３において、コンテンツ送信制御モジュール３３は、過去にこのコンテンツを送信したかを判定する。既に送信済みであれば、終了する。送信済みでなければ、Ｓ１４へ移る。Ｓ１４において、第１の制御モジュール２１は、携帯端末３からコンテンツファイルの送信要求を受信する。
【００５９】
Ｓ１５において、コンテンツ送信制御モジュール３３は、コンテンツファイルを送信して終了する。
【００６０】
一方、Ｓ２１において、携帯端末３のコンテンツ受信制御モジュール６１は、録画再生装置２から送信されたメタ情報をネットワーク送受信モジュール４１を介して受信する。Ｓ２２において、コンテンツ管理モジュール６２は、メタ情報のコンテンツＩＤと同一のコンテンツが第２の記録装置５８あるいはフラッシュメモリ５７に存在するかを判定する。同一のコンテンツが存在したならば、Ｓ２８に移る。同一のコンテンツが存在しなかったならば、Ｓ２３へ移る。
【００６１】
Ｓ２３において、第２の制御モジュール５３は、このメタ情報のコンテンツが未記録（未だ受信していないコンテンツ）であることを応答する。
【００６２】
Ｓ２４において、コンテンツ管理モジュール６２は、メタ情報の連続番組ＩＤと同一のコンテンツが第２の記録装置５８あるいはフラッシュメモリ５７に存在するかを判定する。同じ連続番組ＩＤのコンテンツがあったならば、Ｓ２５へ移って、このコンテンツを削除する。同じ連続番組ＩＤのコンテンツが無かったならば、Ｓ２６へ移る。
【００６３】
Ｓ２６において、第２の制御モジュールは、コンテンツファイルを要求する応答を録画再生装置２に送信する。Ｓ２７において、コンテンツ受信制御モジュール６１は、録画再生装置２から送信されたコンテンツファイルを受信する。Ｓ２８において、コンテンツの再生済み位置情報（レジューム情報）が更新されていたならば更新して終了する。
【００６４】
以上のように、録画再生装置２から携帯端末３へコンテンツを送信した後においても、録画再生装置２で視聴した後の更新されたレジューム情報を携帯端末３へ送信するため、携帯端末３でコンテンツを視聴する際に、直ぐに続きの場面から視聴することができ、利用者にとってたいへん使い勝手がよい。また、コンテンツ管理モジュール６２は、連続番組情報を含むメタ情報を受信した際、既に録画した連続番組の中で過去のコンテンツが第２の録画装置またはフラッシュメモリ５７に残っていた場合にはこのコンテンツを削除するため、利用者が手間を掛けることなく効率的に録画領域を確保することができる。
【００６５】
なお、本発明は上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に異なる実施形態に亘る構成要素を適宜組み合わせてもよい。
【符号の説明】
【００６６】
１  コンテンツ送受信システム
２  録画再生装置
３  携帯端末
４  ネットワーク
５  ルータ
７  画面
８  リモコン
９  タッチパネル
２１  第１の制御モジュール
２２  ＭＰＵ
２３  ＲＡＭ
２４  ＲＯＭ
２５  フラッシュメモリ
２６  第１の録画装置
３１  ネットワーク送受信モジュール
３３  コンテンツ送信制御モジュール
３４  メタ情報管理モジュール
３５  メタ情報記憶部
３６  メタ情報
４１  ネットワーク送受信モジュール
５１  表示装置
５３  第２の制御モジュール
５４  ＭＰＵ
５５  ＲＡＭ
５６  ＲＯＭ
５７  フラッシュメモリ
５８  第２の録画装置
６１  コンテンツ受信制御モジュール
６２  メタ情報受信モジュール
６３  メタ情報記憶部
【図１】
2014053877.tif 000003
【図２】
2014053877.tif 000004
【図３】
2014053877.tif 000005
【図４】
2014053877.tif 000006
【図５】
2014053877.tif 000007